(57)【要約】【課題】本発明はケースのハンドルに関し、握持性，耐久性及び衛生面で優れたケースのハンドルを提供することを目的とする。【解決手段】請求項１に係る発明は、物を収納するケースに止着されるベルト体とこれに取り付く芯材からなるハンドル本体と、長手方向に形成された貫通孔内に上記芯材とベルト体が圧入される筒状の握持体とで構成されたケースのハンドルであって、ベルト体を、上記貫通孔の周壁と芯材の外周とで挟持すると共に、ベルト体を挟持する芯材の挟持部に、ベルト体に対する芯材のズレを規制する突状体を設けたことを特徴とする。そして、請求項２に係る発明は、請求項１に記載のケースのハンドルに於て、握持体と芯材に、互いのズレを規制する係合部を設けたことを特徴とする。【選択図】      図５
2005013102.tif 000002
【特許請求の範囲】
【請求項１】
物を収納するケースに止着されるベルト体とこれに取り付く芯材からなるハンドル本体と、
長手方向に形成された貫通孔内に上記芯材とベルト体が圧入される筒状の握持体とで構成されたケースのハンドルであって、
ベルト体を、上記貫通孔の周壁と芯材の外周とで挟持すると共に、ベルト体を挟持する芯材の挟持部に、ベルト体に対する芯材のズレを規制する突状体を設けたことを特徴とするケースのハンドル。
【請求項２】
握持体と芯材に、互いのズレを規制する係合部を設けたことを特徴とする請求項１に記載のケースのハンドル。
【請求項３】
係合部は、握持体の周壁に形成されて貫通孔に連通する係合孔と、当該係合孔に係合可能に芯材の外周に突設された突部とからなることを特徴とする請求項２に記載のケースのハンドル。
【発明の詳細な説明】
【０００１】
【発明の属する技術分野】
本発明は、物を収納して持ち運ぶためのケースのハンドルに関する。
【０００２】
【従来の技術】
従来、物を収納して持ち運ぶためのケースにはハンドルが装着されているが、下記の特許文献１には、釣竿を収納する釣竿ケースのハンドルが開示されている。
図２５乃至図２７は特許文献１に開示された釣竿ケース１のハンドル３を示し、このハンドル３は、柔軟性を有する筒状の布状体（筒状体）５と、当該布状体５に内装された芯材７と、布状体５に外装されたゴム筒９とを備え、図２７に示すように扁平状に押し潰された布状体５の両端部１１が、取付片１３と釣竿ケース１の前壁１ａとの間に挟み込まれて前壁１ａに縫着されている。
【０００３】
布状体５に内装された芯材７は樹脂で成形された円弧状の中空パイプからなり、当該芯材７が内装された部位がハンドル３の把持部１４となる。そして、芯材７は円弧状に成形されているため、把持部１４は門状に保形されて前壁１ａとの間に一定の空間Ａが確保されている。そして、把持部１４に前記ゴム筒９が外装されており、把持部１４は芯材７と布状体５，ゴム筒９とで構成されている。
【０００４】
更に、図２６及び図２７に示すようにゴム筒９の表面側には、手Ｈのひらが当接する箇所に複数のスリット１５が左右方向に沿って所定間隔毎に設けられており、各スリット１５から前記布状体５が露出している。
また、ゴム筒９の上下両端部には、夫々、把持部１４の左右の倒れを防止する左右一対の突張部１７が一体形成されている。そして、各突張部１７の底部と前壁１ａとの間に所定の間隙Ｂが設けられており、この間隙Ｂによって把持部１４が左右に所定量だけ揺動可能となっている。そして、このゴム筒９は、成形時に布状体５と一体構成とされている。
【０００５】
而して、上記ハンドル３によれば、把持部１４が前壁１ａとの間に一定の空間Ａを確保して門状に成形されているため、咄嗟の状況で素早く把持部１４を掴んで持ち運ぶことができる利点を有する。
【特許文献１】
特開２００１−１９０２００号公報（段落番号「０００９」〜「００２２」、図３）
【０００６】
【発明が解決しようとする課題】
しかし乍ら、上記ハンドル３は、布で成形された筒状の布状体５内に芯材７が単に差し込まれた構造であるため、芯材７が布状体５内をその長手方向や周方向にズレ易く、而も、布状体５が布のために柔らかく変形し易いこともあって、釣竿ケース１を持ち運んでいる際に把持部１４が捻れ、違和感を与えてしまう欠点があった。
【０００７】
また、斯様に芯材７がズレる度に芯材７の両端の角部が布状体５に摺接するため、長期に亘る使用で布状体５が摩耗してハンドル３が破損してしまう虞があり、更にまた、ゴム筒９内やスリット１５にコマセ等のゴミが目詰まりしてゴム筒９が汚れてしまったり、入り込んだコマセ等の臭いが布状体５に染み付いてしまう等の不具合も指摘されていた。
【０００８】
本発明は斯かる実情に鑑み案出されたもので、上述の如き従来の不具合を解消し、握持性，耐久性に優れたケースのハンドルを提供することを目的とする。
【０００９】
【課題を解決するための手段】
斯かる目的を達成するため、請求項１に係る発明は、物を収納するケースに止着されるベルト体とこれに取り付く芯材からなるハンドル本体と、長手方向に形成された貫通孔内に上記芯材とベルト体が圧入される筒状の握持体とで構成されたケースのハンドルであって、ベルト体を、上記貫通孔の周壁と芯材の外周とで挟持すると共に、ベルト体を挟持する芯材の挟持部に、ベルト体に対する芯材のズレを規制する突状体を設けたことを特徴とする。
【００１０】
そして、請求項２に係る発明は、請求項１に記載のケースのハンドルに於て、握持体と芯材に、互いのズレを規制する係合部を設けたことを特徴とし、請求項３に係る発明は、請求項２に記載のケースのハンドルに於て、係合部は、握持体の周壁に形成されて貫通孔に連通する係合孔と、当該係合孔に係合可能に芯材の外周に突設された突部とからなることを特徴とする。
【００１１】
（作用）
請求項１に係る発明によれば、握持体の貫通孔に圧入された芯材と当該握持体とでベルト体を挟持すると共に、芯材の挟持部に設けた突状体がベルト体に食い込む。
このため、貫通孔の内周との摩擦によって芯材は握持体に対し動き難くズレが規制され、また、握持体の締付力で芯材が握持体とでベルト体を挟持すると共に、芯材の突状体がベルト体に食い込むため、ベルト体に対する芯材のズレも確実に規制されることとなる。
【００１２】
また、請求項２に係る発明によれば、係合部が芯材に取り付く握持体のズレを規制し、請求項３に係る発明によれば、係合孔に突部が係合して芯材に取り付く握持体のズレをより確実に規制することとなる。
【００１３】
【発明の実施の形態】
以下、本発明の実施形態を図面に基づいて詳細に説明する。
【００１４】
図１乃至図７は請求項１乃至請求項３の第一実施形態に係るケースのハンドルを示し、図１に於て、２１は釣竿ケースの前壁（以下、「ケース体」という）で、当該ケース体２１は図２５の前壁１ａと同一部位である。
そして、このケース体２１に、ハンドル２３が釣竿ケースの長手方向（上下方向）に沿って取り付けられており、図５に示すようにハンドル２３は、両端部がケース体２１にリベット２５で止着された帯状のベルト体２７とこの長手方向の中央に取り付く芯材２９からなるハンドル本体３１と、長手方向に形成された貫通孔３３内に芯材２９とベルト体２７が圧入された筒状の握持体３５とで構成されている。
【００１５】
図３及び図４に示すように芯材２９は、塩化ビニル，ウレタン，エチレン酢酸ビニル等の合成樹脂を用いて、底部３７を除く外形形状が断面円弧状のストレートなグリップ状に成形されており、芯材２９は、握持体３５に比し大きな剛性（曲げ剛性）を有し、ハンドル２３を握った際に、この芯材２９により握持体３５の形状が保持されてしっかりとした握持感が得られるようになっている。
【００１６】
一方、図３に示すように芯材２９の底部３７は、その長手方向に沿って断面略く字状に成形されており、その中央に貫通孔３３の内壁に沿った断面半円状の突部３９が芯材２９の長手方向へ突設されている。そして、突部３９の頂部には、後述するようにベルト体２７に食い込んで、ベルト体２７に対する芯材２９自体のズレを規制する先細形状の突起（突状体）４１が芯材２９の長手方向に複数突設されており、これらの突起４１はベルト体２７の肉厚よりも短く、ベルト体２７に食い込んだ際にベルト体２７を貫通しない寸法とされている。
【００１７】
そして、ベルト体２７は、織布または合成樹脂（成形品），布帛，皮革等からなり、芯材２９に比し剛性が小さく柔軟性を有し、芯材２９より薄肉に成形されている。
また、図６及び図７に示すように芯材２９の上部側には、周方向に沿って複数の断面円弧状の突部４３が長手方向に所定間隔を空けて突設されており、各突部４３の先端は、ハンドル２３を握持する手のひらが痛くないように断面円形形状に成形されている。
一方、図７に示すように握持体３５は、芯材２９と同一材料，同一の長さ寸法を以って可撓性を有する断面円形形状の筒状に成形されており、その中央に設けられた断面円形形状の貫通孔３３は芯材２９よりも小径に設定されている。
【００１８】
そして、図６及び図７に示すように芯材２９の長手方向に沿って底部３７と突部３９をベルト体２７に当接させて、ベルト体２７に突起４１を押圧させ乍ら、これらをベルト体２７の一方から握持体３５の可撓性を利用して貫通孔３３を押し広げて圧入させると、図３及び図４の如くベルト体２７が芯材２９の底部３７と突部３９及び貫通孔３３の周壁に沿って変形し乍ら、握持体３５の弾性的な締付力でベルト体２７が貫通孔３３の内壁と芯材２９の底部３７及び突部３９とで挟持されると共に、ベルト体２７を押圧する突起４１がベルト体２７に食い込んで、ベルト体２７に対する芯材２９のズレ防止が図られるようになっている。
【００１９】
このように、本実施形態では、芯材２９の底部３７と突部３９が、貫通孔３３の内壁とでベルト体２７を挟持する挟持部として機能する。
また、図７に示すように握持体３５の上部周壁には、貫通孔３３に連通する複数の係合孔４５が前記突部４３に対応して長手方向に間隔を空けて設けられており、上述したように芯材２９とベルト体２７を貫通孔３３内に圧入させると、図１乃至図５の如く各突部４３が各係合孔４５に夫々係合して、芯材２９と握持体３５とのズレ防止が図られるようになっている。
【００２０】
そして、斯様に突部４３が各係合孔４５に係合して芯材２９が握持体３５の貫通孔３３内に圧入されることで、貫通孔３３や係合孔４５へのゴミの侵入が防止されるが、突部４３が係合孔４５を介して握持体３５の上方に突出することで、確実に芯材２９と握持体３５とのズレが防止されると共に、係合孔４５へのコマセ等のゴミの侵入が確実に防止される。そして、既述したように握持体３５は芯材２９と同一の長さ寸法とされているため、斯様に握持体３５に芯材２９とベルト体２７を圧入して各係合孔４５に突部４３が係合すると、握持体３５の両端の開口部から芯材２９が外部に露出するようになっている。
【００２１】
そして、芯材２９の両端から突出するベルト体２７の両端部が、ケース体２１に直接リベット２５で止着される。
尚、図示しないが、図２５に示す取付片１３の如き部材を用いたり、また、接着，溶着，縫着等で直接止着したり、或いはまた、中間部材をケース体２１とベルト体２７との間に介装して、ベルト体２７の端部をケース体２１に間接的に止着してもよい。
【００２２】
更に、握持体３５は芯材２９と長さが異なっていてもよく、例えば芯材２９より短く形成してもよいし、同一材料でなくてもよい。
本実施形態に係るハンドル２３はこのように構成されているから、既述したようにハンドル２３を釣竿ケースのハンドルとして用いる場合、図６及び図７に示すように芯材２９の長手方向に沿って底部３７と突部３９をベルト体２７に当接させて、ベルト体２７に突起４１を押圧させ乍ら、これらをベルト体２７の一方から握持体３５の貫通孔３３内に挿入し、貫通孔３３を押し広げ乍ら芯材２９とベルト体２７を貫通孔３３内に圧入して、各係合孔４５に各突部４３を夫々係合させた後、ベルト体２７の両端部をケース体２１にリベット２５で止着すればよい。
【００２３】
そして、芯材２９は握持体３５の貫通孔３３に圧入されて、貫通孔３３の内壁と当該芯材２９の底部３７及び突部３９とでベルト体２７を強固に挟持しているため、ハンドル２３を握持すると、貫通孔３３の内壁との摩擦によって芯材２９は握持体３５に対し動き難くズレが防止され、更に、係合孔４５と突部４３との係合で握持体３５が芯材２９に位置決めされて、芯材２９の長手方向及び周方向への握持体３５のズレが防止されるが、係合孔４５に係合した突部４３が握持体３５の上方に突出するため、握持体３５のズレが確実に規制されることとなる。
【００２４】
更にまた、ベルト体２７が貫通孔３３の内壁と芯材２９の底部３７及び突部３９とで挟持されると共に、突部３９に設けた突起４１がベルト体２７に食い込んでいるため、ベルト体２７に対する芯材２９自体のズレも確実に防止される。
そして、握持体３５は可撓性を有する筒状に成形されてその貫通孔３３に芯材２９が圧入された構造上、握持体３５は曲げ剛性の大きな芯材２９によってその形状が保持され乍らも、芯材２９と別体であるため、その可撓性の範囲で手の握り具合に従い歪んで手が痛まず、良好な握持感を与えることとなる。
【００２５】
而も、既述したようにベルト体２７は芯材２９に比し剛性が小さく、柔軟性を有するように成形されているため、ハンドル２３を握持して釣竿ケースを持ち運んでいる際に、ベルト体２７が自在に変形して釣竿ケースが揺れ動き、釣竿ケースの振動が緩和されて手に伝わるため疲れない。
そして、係合孔４５に突部４３が収まるように係合しているため、係合孔４５の隙間が塞がれてゴミ等の目詰まりが防止され、また、例えば芯材２９を握持体３５と異なる色に着色しておけば、握持体３５と異なる色の突部４３が握持体３５の上部に突出するため、意匠上、色のコントラストによって美観に優れたものとなる。
【００２６】
このように本実施形態に係るハンドル２３によれば、芯材２９に取り付く握持体３５がズレたり、芯材２９がベルト体２７に沿ってズレることがないため、人に違和感や不快感（持ち難いといった印象）を与えることがなく、而も、芯材２９と別部材で成形された握持体３５が手の握り具合に従いその可撓性の範囲で歪んで良好な握持感を与え、且つベルト体２７が自在に変形して釣竿ケースが揺れ動くため、釣竿ケースの振動が緩和されて手に伝わり、ハンドル２３を良好に握持することが可能となって疲れることがない利点を有する。
【００２７】
また、上述したように芯材２９に取り付く握持体３５がズレたり、芯材２９がベルト体２７に沿ってズレることが防止されるため、ズレに起因した摩耗による損傷の虞がなく、更にまた、係合孔４５にコマセ等のゴミが目詰まりすることが防止されるため衛生面でも優れ、そして、芯材２９を握持体３５と異なる色に着色しておけば、握持体３５と突部４３との異なる色のコントラストによって意匠上の美観に優れたものとなる利点を有する。
【００２８】
図８乃至図１１は請求項１乃至請求項３の第二実施形態に係るハンドルを示し、本実施形態は、図３の突起４１に代え、握持体の係合孔に係合する芯材側の突部を利用して、ベルト体に対する芯材のズレを防止すると共に、芯材と握持体とのズレ防止を図ったもので、以下、本実施形態を図面に基づき説明する。
尚、上記第一実施形態と同一のものには同一符号を付してそれらの説明は省略する。
【００２９】
図８に於て、２９−１は前記芯材２９と同一材料，同一の長さ寸法を以って断面円形形状に成形されたストレートなグリップ状の芯材で、その外径は握持体３５の貫通孔３３より大径とされている。
そして、図９及び図１０に示すように芯材２９−１の上部側には、前記芯材２９と同様、周方向に沿って握持体３５の係合孔４５に係合可能な複数の断面円弧状の突部４３−１が長手方向に所定間隔を空けて突設されており、当該突部４３−１は前記突部４３よりも上方へ高く突設され、後述するように当該突部４３−１が係合孔４５，４７に係合して、握持体３５の上方へ突出するようになっている。
【００３０】
また、図８中、２７−１は前記ベルト体２７と同一材料で成形された帯状のベルト体で、本実施形態に於ても、当該ベルト体２７−１と上記芯材２９−１とでハンドル２３−１のハンドル本体３１−１が形成されている。
そして、図９及び図１０に示すようにベルト体２７−１の中央には、上記突部４３−１が係合可能な複数の長孔形状の係合孔４７が長手方向に所定の間隔を空けて設けられており、図９乃至図１１に示すように芯材２９−１の上部にベルト体２７−１を長手方向に沿わせて各係合孔４７に突部４３−１を係合させた後、これらをベルト体２７−１の一方から握持体３５の貫通孔３３内に圧入させると、図８に示すようにベルト体２７−１が芯材２９−１の上部外周と貫通孔３３の周壁に沿って変形し乍ら、握持体３５の弾性的な締付力によってベルト体２７−１が芯材２９−１の上部外周と貫通孔３３の周壁とで挟持されると共に、突部４３−１が係合孔４７，４５に係合して握持体３５の上方に突出することで、芯材２９−１に対する握持体３５のズレ防止と共に、ベルト体２７−１に対する芯材２９−１のズレ防止が図られるようになっている。
【００３１】
このように、本実施形態では、芯材２９−１の上部が、貫通孔３３の内壁とでベルト体２７−１を挟持する挟持部として機能する。
本実施形態に係るハンドル２３−１はこのように構成されているから、ハンドル２３−１を釣竿ケースのハンドルとして用いるに当たり、図９乃至図１１で既述したように芯材２９−１の上部にベルト体２７−１を長手方向に沿わせて各係合孔４７に突部４３−１を係合し、これらをベルト体２７−１の一方から握持体３５の貫通孔３３内に圧入して、図８の如くベルト体２７−１を芯材２９−１の上部外周と貫通孔３３の周壁とで挟持させ乍ら、突部４３−１を係合孔４７，４５に係合させて握持体３５の上方に突出させ、ベルト体２７−１の両端部をケース体２１にリベット２５で止着すればよい。
【００３２】
そして、上記ハンドル２３−１を握持すると、芯材２９−１は握持体３５の貫通孔３３に圧入されて、貫通孔３３の内壁と当該芯材２９−１の上部外周とでベルト体２７−１を強固に挟持しているため、貫通孔３３の内壁との摩擦によって芯材２９−１は握持体３５に対し動き難くズレが防止され、更に係合孔４５と突部４３−１との係合で握持体３５が芯材２９−１に位置決めされて、芯材２９−１の長手方向及び周方向への握持体３５のズレが防止されるが、係合孔４５に係合した突部４３−１が握持体３５の上方に突出するため、握持体３５のズレが確実に規制されることとなる。
【００３３】
更にまた、ベルト体２７−１が芯材２９−１の上部外周と貫通孔３３の周壁とで挟持されると共に、係合孔４７に突部４３−１が係合して当該突部４３−１が係合孔４５から握持体３５の上方に突出しているため、ベルト体２７−１に対する芯材２９−１自体のズレも確実に防止される。
そして、握持体３５は可撓性を有する筒状に成形されてその貫通孔３３に芯材２９−１が圧入された構造上、握持体３５は、当該握持体３５に比し曲げ剛性の大きな芯材２９−１によってその形状が保持され乍らも、芯材２９−１と別体であるため、その可撓性の範囲で手の握り具合に従い歪んで手が痛まず、良好な握持感を与えることとなる。
【００３４】
而も、既述したようにベルト体２７−１は芯材２９−１に比し剛性が小さく、柔軟性を有するように成形されているため、本実施形態に於ても、ハンドル２３−１を握持して釣竿ケースを持ち運んでいる際に、ベルト体２７−１が自在に変形して釣竿ケースが揺れ動き、釣竿ケースの振動が緩和されて手に伝わるため疲れない。そして、係合孔４５に突部４３−１が収まるように係合しているため、係合孔４５の隙間が塞がれてゴミ等の目詰まりが防止され、また、例えば芯材２９−１を握持体３５と異なる色に着色しておけば、握持体３５と異なる色の突部４３−１が握持体３５の上部に突出するため、意匠上、色のコントラストによって美観に優れたものとなる。
【００３５】
このように本実施形態に係るハンドル２３によっても、前記第一実施形態と同様、芯材２９−１に取り付く握持体３５がズレたり、芯材２９−１がベルト体２７−１に沿ってズレることがないため、人に違和感や不快感を与えることがなく、而も、芯材２９−１と別部材で成形された握持体３５が手の握り具合に従いその可撓性の範囲で歪んで良好な握持感を与え、且つベルト体２７−１が自在に変形して釣竿ケースが揺れ動くため、釣竿ケースの振動が緩和されて手に伝わり、ハンドル２３−１を良好に握持することが可能となって疲れることがない利点を有する。
【００３６】
また、上述したように芯材２９−１に取り付く握持体３５がズレたり、芯材２９−１がベルト体２７−１に沿ってズレることが防止されるため、ズレに起因した摩耗による損傷の虞がなく、更にまた、係合孔４５にコマセ等のゴミが目詰まりすることが防止されるため衛生面でも優れ、そして、芯材２９−１を握持体３５と異なる色に着色しておけば、握持体３５と突部４３−１との異なる色のコントラストによって意匠上の美観に優れたものとなる利点を有する。
【００３７】
図１２乃至図１５は請求項１乃至請求項３の第三実施形態に係るハンドルを示し、本実施形態は、芯材２９−２を前記芯材２９−１と同一の外形形状に成形して、その上部側に前記突部４３と同一形状，同一寸法の突部４３−２を複数突設すると共に、第二実施形態のベルト体２７−１に代え、突部４３−２の係合孔を有しない第一実施形態のベルト体２７を用いたもので、本実施形態に於ても、ベルト体２７と芯材２９−２とでハンドル２３−２のハンドル本体３１−２が構成されている。
【００３８】
而して、本実施形態に係るハンドル２３−２の組立は、先ず、図１３及び図１４に示すように芯材２９−２の上部にベルト体２７を芯材２９−２の長手方向に沿わせて、突部４３−２をベルト体２７に押圧する。
次いで、図１５に示すようにベルト体２７の一方から握持体３５の可撓性を利用して貫通孔３３を押し広げ乍ら、当該貫通孔３３内にハンドル本体３１−２を圧入して突部４３−２を係合孔４５に係合させれば、図１２の如く芯材２９−２の上部外周と貫通孔３３の周壁がベルト体２７を挟持すると共に、握持体３５の締付力で突部４３−２がベルト体２７に食い込み、突部４３−２に食い込まれたベルト体２７は突部４３−２の外形形状に沿って薄肉に変形し乍ら、突部４３−２と共に係合孔４５に係合して芯材２９−２と握持体３５がベルト体２７に固着されることとなる。
【００３９】
尚、図１２に示すように突部４３−２は、薄肉に変形し乍ら係合孔４５に係合したベルト体２７を握持体３５から外力へ僅かに突出する寸法に設定されている。
そして、斯様にハンドル本体３１−２を成形した後、ベルト体２７の両端部をケース体２１にリベット２５で止着すればよく、その他の構成は、上記第二実施形態と同様であるため、同一のものに同一符号を付してそれらの説明は省略する。
【００４０】
本実施形態に係るハンドル２３−２はこのように構成されているから、ハンドル２３−２を握持すると、芯材２９−２は握持体３５の貫通孔３３に圧入されて、貫通孔３３の内壁と当該芯材２９−２の上部外周とでベルト体２７を強固に挟持しているため、貫通孔３３の内壁との摩擦によって芯材２９−２は握持体３５に対し動き難くズレが防止され、更に係合孔４５と突部４３−２との係合で握持体３５が芯材２９−２に位置決めされて、芯材２９−２の長手方向及び周方向への握持体３５のズレが防止される。
【００４１】
更にまた、ベルト体２７が芯材２９−２の上部外周と貫通孔３３の周壁とで挟持されると共に、握持体３５の締付力でベルト体２７に食い込んだ突部４３−２が、ベルト体２７を薄肉に変形させてこれを係合孔４５に係合させているため、ベルト体２７に対する芯材２９−２自体のズレも確実に防止される。
そして、本実施形態に於ても、握持体３５は可撓性を有する筒状に成形されてその貫通孔３３に芯材２９−２が圧入された構造上、握持体３５は曲げ剛性の大きな芯材２９−２によってその形状が保持され乍らも、芯材２９−２と別体であるため、その可撓性の範囲で手の握り具合に従い歪んで手が痛まず、良好な握持感を与えることとなる。
【００４２】
而も、ベルト体２７は芯材２９−２に比し剛性が小さく、柔軟性を有するように成形されているため、ハンドル２３−２を握持して釣竿ケースを持ち運んでいる際に、ベルト体２７が自在に変形して釣竿ケースが揺れ動き、釣竿ケースの振動が緩和されて手に伝わるため疲れない。
【００４３】
このように本実施形態によっても、既述した各実施形態と同様、所期の目的を達成することが可能である。
そして、本実施形態にあっては、ベルト体２７を握持体３５と異なる色に着色しておけば、握持体３５の係合孔４５から露出するベルト体２７との異なる色のコントラストによって意匠上の美観に優れたものとなる利点を有する。
【００４４】
図１６は請求項１及び請求項２の一実施形態に係るハンドルを示し、本実施形態に係るハンドル２３−３は、図１の実施形態で既述した係合孔４５に代えて、握持体３５−１の上部内周に凹状の係合孔４９を複数設けると共に、当該係合孔４９に係合可能な突部５１を、前記突部４３に代えて芯材２９−３の上方側に複数突設したもので、芯材２９−３とベルト体２７とでハンドル本体３１−３が構成されている。
【００４５】
そして、本実施形態に於ても、芯材２９−３や握持体３５−２の成形材料は図１の実施形態と同様であり、握持体３５−２への芯材２９−３の取付方法も図７の実施形態と同様であるため、それらの説明は省略する。
而して、本実施形態によっても、既述した各実施形態と同様、所期の目的を達成することが可能で、握持性，耐久性及び衛生面で優れたケースのハンドル２３−３を提供することが可能である。
【００４６】
図１７乃至図２０は請求項１乃至請求項３の第四実施形態に係るハンドルを示し、本実施形態は、図８乃至図１１の実施形態で用いたベルト体２７−１に代え、ベルト体２７−２をベルト体２７−１と同一形状を用いて筒状に成形し、その中央の周壁に、前記係合孔４７と同一形状の係合孔４７−１を、ベルト体２７−２の周方向に沿って長手方向に所定間隔を空けて複数設けたもので、ベルト体２７−２は、芯材２９−１よりもやや小径に成形され、当該ベルト体２７−２と芯材２９−１とでハンドル本体３１−４が構成される。
【００４７】
そして、本実施形態に係るハンドル２３−４を製造するには、図１９に示すようにベルト体２７−２を押し広げ乍ら、ベルト体２７−２の一方から芯材２９−１をベルト体２７−２内に圧入して、突部４３−１を係合孔４７−１に係合する。
次いで、これらを図２０の如くベルト体２７−２の一方から握持体３５の可撓性を利用して貫通孔３３内に圧入して、突部４３−１を係合孔４７−１，４５に係合させればよく、図１７に示すように握持体３５の弾性的な締付力でベルト体２７−２が芯材２９−１の外周と貫通孔３３の周壁とで挟持されると共に、突部４３−１が握持体３５の上方に突出して、ベルト体２７−１に対する芯材２９−１のズレ防止が図られることとなる。
【００４８】
このように、本実施形態では、芯材２９−１の外周が、貫通孔３３の内壁とでベルト体２７−２を挟持する挟持部として機能する。
本実施形態に係るハンドル２３−４はこのように構成されているから、当該ハンドル２３−４を釣竿ケースのハンドルとして用いるに当たり、既述の如くハンドル本体３１−４を握持体３５内に組み付けて、ベルト体２７−２の両端部を押し潰してケース体２１にリベット２５で止着すればよい。
【００４９】
そして、ハンドル２３−４を握持すると、芯材２９−１は握持体３５の貫通孔３３に圧入されて、貫通孔３３の内壁と当該芯材２９−１の外周とでベルト体２７−２を強固に挟持しているため、貫通孔３３の内壁との摩擦によって芯材２９−１は握持体３５に対し動き難くズレが防止され、更に係合孔４５と突部４３−１との係合で握持体３５が芯材２９−１に位置決めされて、芯材２９−１の長手方向及び周方向への握持体３５のズレが防止されるが、係合孔４５に係合した突部４３−１が握持体３５の上方に突出するため、握持体３５のズレが確実に規制されることとなる。
【００５０】
更にまた、既述したようにベルト体２７−２が芯材２９−１の外周と貫通孔３３の周壁とで挟持されると共に、係合孔４７−１に係合した突部４３−１が係合孔４５から握持体３５の上方に突出しているため、ベルト体２７−２に対する芯材２９−１自体のズレも確実に防止される。
【００５１】
そして、本実施形態に於ても、握持体３５は可撓性を有する筒状に成形されてその貫通孔３３に芯材２９−１が圧入された構造上、握持体３５は曲げ剛性の大きな芯材２９−１によってその形状が保持され乍らも、芯材２９−１と別体であるため、その可撓性の範囲で手の握り具合に従い歪んで手が痛まず、良好な握持感を与えることとなる。
【００５２】
而も、筒状に成形されたべルト体２７−２は前記ベルト体２７と同一材料で成形されているため、ハンドル２３−４を握持して釣竿ケースを持ち運んでいる際に、ベルト体２７−２が自在に変形して釣竿ケースが揺れ動き、釣竿ケースの振動が緩和されて手に伝わるため疲れない。
そして、係合孔４５に突部４３−１が収まるように係合しているため、係合孔４５の隙間が塞がれてゴミ等の目詰まりが防止され、また、例えば芯材２９−１を握持体３５と異なる色に着色しておけば、握持体３５と異なる色の突部４３−１が握持体３５の上部に突出するため、意匠上、色のコントラストによって美観に優れたものとなる。
【００５３】
従って、本実施形態に係るハンドル２３−４によっても、図８のハンドル２３−１と同様、所期の目的を達成することが可能である。
図２１乃至図２４は図１２乃至図１５の実施形態で用いたベルト体２７に代え、図２２及び図２３に示すようにベルト体２７−３をベルト体２７と同一形状を用いて筒状に成形したもので、ベルト体２７−３は芯材２９−２よりもやや小径に成形され、当該ベルト体２７−３と芯材２９−２とでハンドル本体３１−５が構成される。
【００５４】
そして、本実施形態に係るハンドル２３−５を組み立てるには、図２２及び図２３に示すようにベルト体２７−３を押し広げ乍ら、ベルト体２７−３の一方から芯材２９−２をベルト体２７−３内に圧入して、その中央に配置する。
次いで、これらを図２４の如くベルト体２７−３の一方から握持体３５の可撓性を利用して貫通孔３３内に圧入させて、図２１の如く突部４３−２を係合孔４５に係合させればよく、ベルト体２７−３が芯材２９−２の外周と貫通孔３３の周壁とで挟持されると共に、握持体３５の締付力で突部４３−２がベルト体２７−３に食い込み、突部４３−２に食い込まれたベルト体２７−３が突部４３−２の外形形状に沿って薄肉に変形し乍ら、突部４３−２と共に係合孔４５に係合する。
【００５５】
そして、斯かるハンドル２３−５を、ベルト体２７−３の両端部を押し潰してケース体２１にリベット２５で止着すればよい。
尚、その他の構成は、図１２の実施形態と同様であるため、同一のものに同一符号を付してそれらの説明は省略する。
本実施形態に係るハンドル２３−５はこのように構成されているから、当該ハンドル２３−５を握持すると、貫通孔３３の内壁と芯材２９−２の外周とでベルト体２７−３が挟持されるため、貫通孔３３の内壁との摩擦で芯材２９−２は握持体３５に対し動き難くズレが防止され、更に係合孔４５と突部４３−２との係合で握持体３５が芯材２９−２に位置決めされて、芯材２９−２の長手方向及び周方向への握持体３５のズレが防止される。
【００５６】
更にまた、既述したようにベルト体２７−３が芯材２９−２の外周と貫通孔３３の周壁とで挟持されると共に、握持体３５の締付力でベルト体２７−３に食い込んだ突部４３−２が、ベルト体２７−３を薄肉に変形させてこれを係合孔４５に係合させるため、ベルト体２７−３に対する芯材２９−２自体のズレも確実に防止される。
そして、本実施形態に於ても、握持体３５は可撓性を有する筒状に成形されてその貫通孔３３に芯材２９−２が圧入された構造上、握持体３５は曲げ剛性の大きな芯材２９−２によってその形状が保持され乍らも、芯材２９−２と別体であるため、その可撓性の範囲で手の握り具合に従い歪んで手が痛まず、良好な握持感を与えることとなる。
【００５７】
而も、ハンドル２３−５を握持して釣竿ケースを持ち運んでいる際に、ベルト体２７−３が自在に変形して釣竿ケースが揺れ動き、釣竿ケースの振動が緩和されて手に伝わることとなる。
【００５８】
従って、本実施形態によっても、既述した各実施形態と同様、所期の目的を達成することが可能であり、また、図１２の実施形態と同様、本実施形態にあっても、ベルト体２７−３を握持体３５と異なる色に着色しておけば、握持体３５の係合孔４５や握持体３５の両端側から露出するベルト体２７−３との異なる色のコントラストによって意匠上の美観に優れたものとなる利点を有する。
【００５９】
尚、既述した各実施形態では、握持体３５，３５−１の貫通孔３３を断面円形形状に成形したが、当該貫通孔とこれに圧入する芯材の外形形状を非円形形状に成形して握持体の回り止めを図ってもよい。
そして、上記各実施形態は、本発明のハンドルを釣竿ケースに適用したものであるが、かばんやバッグ等を含む物を収納して持ち運ぶためのケースのハンドルとして、様々なケースに適用することができる。
【００６０】
【発明の効果】
以上述べたように、各請求項に係る発明によれば、ベルト体が貫通孔の周壁と芯材の外周とで挟持されると共に、芯材の挟持部に設けた突状体がベルト体に対する芯材のズレを規制するため、ハンドルを握持した時に、芯材に取り付く握持体がズレたり芯材がベルト体に沿ってズレることがなくなって人に違和感や不快感を与えることがなく、また、ズレに起因した摩耗による損傷の虞もないため、従来に比し耐久性が向上することとなった。
【００６１】
そして、請求項２及び請求項３に係る発明によれば、係合部によって芯材に取り付く握持体のズレをより確実に規制することができる利点を有する。
【図面の簡単な説明】
【図１】請求項１乃至請求項３の第一実施形態に係るハンドルの正面図である。
【図２】図１に示すハンドルの平面図である。
【図３】図１のＩＩＩ−ＩＩＩ線断面図である。
【図４】図１のＩＶ−ＩＶ線断面図である。
【図５】図１に示すハンドルの断面図である。
【図６】ハンドル本体の分解断面図である。
【図７】図１に示すハンドルの組立方法を示す説明図である。
【図８】請求項１乃至請求項３の第二実施形態に係るハンドルの断面図である。
【図９】ハンドル本体の分解断面図である。
【図１０】ハンドル本体の分解斜視図である。
【図１１】図８に示すハンドルの組立方法を示す説明図である。
【図１２】請求項１乃至請求項３の第三実施形態に係るハンドルの断面図である。
【図１３】ハンドル本体の分解断面図である。
【図１４】ハンドル本体の分解斜視図である。
【図１５】図１２に示すハンドルの組立方法を示す説明図である。
【図１６】請求項１及び請求項２の一実施形態に係るハンドルの断面図である。
【図１７】請求項１乃至請求項３の第四実施形態に於けるハンドルの断面図である。
【図１８】ハンドル本体の分解断面図である。
【図１９】ハンドル本体の分解斜視図である。
【図２０】図１７に示すハンドルの組立方法の説明図である。
【図２１】請求項１乃至請求項３の第五実施形態に係るハンドルの断面図である。
【図２２】ハンドル本体の分解断面図である。
【図２３】ハンドル本体の分解斜視図である。
【図２４】図２１に示すハンドルの組立方法を示す説明図である。
【図２５】従来のハンドルが取り付く釣竿ケースの全体斜視図である。
【図２６】ハンドルの平面図である。
【図２７】図２６に示すハンドルの断面図である。
【符号の説明】
２１  ケース体
２３，２３−１，２３−２，２３−３，２３−４，２３−５  ハンドル
２７，２７−１，２７−２，２７−３  ベルト体
２９，２９−１，２９−２，２９−３  芯材
３１，３１−１，３１−２，３１−３，３１−４，３１−５  ハンドル本体
３３  貫通孔
３５，３５−１  握持体
３７  底部
３９，４３，４３−１，４３−２，５１  突部
４１  突起
４５，４７，４７−１，４９  係合孔
【図１】
2005013102.tif 000003
【図２】
2005013102.tif 000004
【図３】
2005013102.tif 000005
【図４】
2005013102.tif 000006
【図５】
2005013102.tif 000007
【図６】
2005013102.tif 000008
【図７】
2005013102.tif 000009
【図８】
2005013102.tif 000010
【図９】
2005013102.tif 000011
【図１０】
2005013102.tif 000012
【図１１】
2005013102.tif 000013
【図１２】
2005013102.tif 000014
【図１３】
2005013102.tif 000015
【図１４】
2005013102.tif 000016
【図１５】
2005013102.tif 000017
【図１６】
2005013102.tif 000018
【図１７】
2005013102.tif 000019
【図１８】
2005013102.tif 000020
【図１９】
2005013102.tif 000021
【図２０】
2005013102.tif 000022
【図２１】
2005013102.tif 000023
【図２２】
2005013102.tif 000024
【図２３】
2005013102.tif 000025
【図２４】
2005013102.tif 000026
【図２５】
2005013102.tif 000027
【図２６】
2005013102.tif 000028
【図２７】
2005013102.tif 000029